(57)【要約】【課題】番組ガイド表示において、番組セル内に収まりきらない番組情報を、文字サイズや表示領域を変えることなく、また画面を切換えるなどの煩わしさを感じさせることなく確認することを可能にする。【解決手段】本発明に係る電子番組ガイド表示装置は、各番組の番組情報が番組情報を表示する番組セル内に収まりきらない場合に、ユーザーからの操作によって番組セル毎に番組情報をスクロールさせることができる手段を備えていることを特徴とする。【選択図】図４
2006254018.tif 000002
【特許請求の範囲】
【請求項１】
番組を選択する電子番組ガイドの表示装置において、電子番組ガイドを構成する番組セル毎に各番組の番組情報をスクロールさせることができる表示手段を備えていることを特徴とする電子番組ガイド表示装置。
【発明の詳細な説明】
【技術分野】
【０００１】
本発明は、電子番組ガイド表示装置において、番組セル内に収まりきらない番組情報を表示する技術に関する。
【背景技術】
【０００２】
近年、衛星や地上波によるテレビジョン放送の信号にこれから放送が予定されている番組情報を重畳して放送したり、テレビジョン信号をデジタル信号化しさらにその番組情報もデジタル信号化して放送し、受信機で番組情報として電子番組ガイドを表示するシステムが普及している。
【０００３】
しかしながら、前記電子番組ガイドの表示において、文字を読み取り可能な大きさで表示し、さらに電子番組ガイドの時間軸上及び放送チャンネル軸上に多数の番組を表示しようとすると、各番組の番組情報が番組情報を表示する番組セル内に収まりきらないという課題がある。この収まりきらない番組情報を表示するために、番組情報を表示する番組セルの領域を大きくすると画面上に一度に表示できる番組の数が非常に少なくなってしまい実用的ではない。また、番組セル内に番組情報を全て表示しようとして文字サイズを小さくすると文字そのものが読めなくなってしまい実用的ではない。従来の電子番組ガイドでは、番組セルに収まりきらない番組情報を表示する手段として、ユーザーが詳細な番組情報を確認したい番組セルにカーソルを合わせて選択することで、電子番組ガイドから番組情報表示画面に切換わり、選択された番組の番組情報を表示していた（例えば、特許文献１参照）。
【特許文献１】特開２００４−１９４２４９号公報
【発明の開示】
【発明が解決しようとする課題】
【０００４】
しかしながら、これでは複数の番組の番組情報を次々に確認しようとする場合に、画面の切換えが何度も発生してしまいユーザーに煩わしさを感じさせる結果となってしまう。また、別の手段として、遠隔操作装置に搭載された番組情報表示モニタ上に、選択された番組の番組情報を表示するものがあるが、ユーザーの目線が電子番組ガイドを表示しているモニタと番組情報を表示している手元の遠隔操作装置を行き来することになり煩わしさを感じさせてしまう。
【０００５】
本発明はこの課題を解決するために、電子番組ガイド表示において、表示する文字の大きさと画面上に一度に表示する番組数を保ったまま、番組セル内に収まりきらない番組情報を確認できるようにし、使いがってのよい電子番組ガイドを得ることを目的とする。
【課題を解決するための手段】
【０００６】
本発明に係る電子番組ガイド表示装置は、各番組の番組情報が番組情報を表示する番組セル内に収まりきらない場合に、ユーザーからの操作によって番組セル毎に番組情報をスクロールさせることができる手段を備えていることを特徴とする。
【発明の効果】
【０００７】
電子番組ガイド表示において、各番組の番組情報が番組情報を表示する番組セルに収まりきらない場合に、番組セル毎に番組情報をスクロール可能にすることで、表示する文字の大きさを小さくして文字を読み難くしたり、番組情報を表示する番組セルを大きくして画面上に一度に表示できる番組数を減らすことがなくなり、また番組情報を表示するために画面の切換えなどを行う必要がなくなり、電子番組ガイドの使い勝手がさらに向上されるという効果を有する。
【発明を実施するための最良の形態】
【０００８】
以下に本発明の実施の形態を図面を参照して説明する。
【０００９】
（実施の形態１）
図１は、本発明の電子番組ガイド表示装置の実施の形態の構成例を示すブロック図である。電子番組ガイド表示装置は、番組情報記憶部１００と、電子番組ガイド構成決定部１１０と、操作部１２０と、カーソル位置制御部１３０と、スクロール位置制御部１４０と、番組セル作成部１５０と、表示モニタ１６０で構成されている。
【００１０】
番組情報記憶部１００は、入力される番組情報を記憶する。ここで、番組情報とは、例えば送信された信号から抽出されたもので、複数の番組の放送チャンネル、番組内容、放送時間などが所定のフォーマットで入力された信号である。番組情報は番組の映像信号や音声信号、データ信号と同時に送られるものや、単独に送られるものであってもよい。
【００１１】
電子番組ガイド構成決定部１１０は、前記番組情報記憶部１００に記憶されている前記番組情報を取得し、各番組の情報量を考慮して各番組の番組情報を表示する番組セルのサイズを決定する。すなわち画面上に表示する電子番組ガイドの全体構成を決定する。
【００１２】
操作部１２０は、リモートコントローラーや機器に実装されているボタンなどを通して与えられたユーザーの指示を出力する。カーソル位置制御部１３０は、電子番組ガイド中の１つの番組セルが現在選択中であることを記憶しておき、前記操作部１２０から出力されるユーザーからのカーソル移動の指示を受信したときは、番組セルの選択をカーソル移動の指示に従って更新する。
【００１３】
スクロール位置制御部１４０は、前記カーソル位置制御部１３０が記憶している前記現在選択中の番組セルのスクロール行数を記憶しておき、前記操作部１２０から出力されるユーザーからのスクロール移動の指示を受信したときは、スクロール行数をユーザーからのスクロール移動の指示に従って更新する。番組セル作成部１５０は、番組情報記憶部１００に記憶されている番組情報を用いて、番組セルの１つ１つにそれぞれの番組情報の割り付けを行う。この時、割り付けられた番組情報が電子番組ガイド構成決定部１１０で決定された番組セルのサイズに収まりきらない場合は、番組情報が収まりきらない番組セルに対してスクロールバーを付加する。表示モニタ１６０は、番組セル作成部１５０から出力される電子番組ガイドを表示する。
【００１４】
次に、図２のフローチャートを用いて、電子番組ガイド表示装置の電子番組ガイドの表示動作について説明する。
【００１５】
まず、ステップＳ２１０において電子番組ガイド構成決定部１１０は番組情報記憶部１００に記憶されている番組情報を取り出し、ステップＳ２２０で電子番組ガイド構成決定部１１０は各番組セルのサイズを決定する。次に、ステップＳ２３０で番組セル作成部１５０は、番組情報記憶部１００から取り出した作成する番組セルの番組情報を、電子番組ガイド構成決定部１１０で決定された番組セルに表示しきれるか否かを判定する。
【００１６】
ステップＳ２３０における判定結果が表示しきれるとなった場合は、番組セル作成部１５０はステップＳ２４０で番組セルに前記作成する番組セルの番組情報をそのまま割り付ける。Ｓ２３０における判定結果が表示しきれないとなった場合は、番組セル作成部１５０は、ステップＳ２５０で、作成する番組セルにスクロールバーを付加し、さらに、ステップＳ２６０でカーソル位置制御部１３０に記憶されている番組セル選択情報を取り出し、現在作成している番組セルが現在選択されている番組セルか否かを判定する。
【００１７】
ステップＳ２６０における判定結果が、現在選択されている番組セルでなかった場合は、番組セル作成部１５０は、ステップＳ２７０で、前記作成する番組セルの番組情報の先頭から番組セルに表示できる行数分の番組情報を番組セルに割り付ける。ステップＳ２６０における判定結果が、現在選択されている番組セルであった場合は、番組セル作成部１５０は、ステップ２８０でスクロール位置制御部１４０に記憶されているスクロール行数を取りだし、前記作成する番組セルの番組情報の先頭に前記スクロール行数を加算した行数目から番組セルに表示できる行数分の番組情報を番組セルに割り付ける。以上のような処理を各番組セル毎に行ない、作成が完了した番組セルは、ステップＳ２９０で電子番組ガイドとして表示モニタ１６０に表示される。
【００１８】
次に、図３のフローチャートを用いて、電子番組ガイド表示装置のカーソル及びスクロール移動の動作について説明する。
【００１９】
まず、ステップＳ３１０で操作部１２０はユーザーからの指示がカーソル移動か、スクロール移動か、または、それら以外かを判断する。ステップＳ３１０における判断結果がカーソル移動であった場合は、操作部１２０はカーソル位置制御部１３０にカーソル移動を指示する。
【００２０】
次にステップＳ３２０でカーソル位置制御部１３０は、記憶していた現在選択中の番組セルから前記操作部１２０から受けたカーソル移動指示の方向に番組セルが存在するか否かを判定する。ステップＳ３２０における判定結果が番組セルが存在するとなった場合は、カーソル位置制御部１３０は、ステップＳ３３０で、現在選択中の番組セルから前記操作部１２０から受けたカーソル移動指示の方向に一つずらした番組セルを、新たに現在選択中の番組セルとして記憶する。さらに、ステップＳ３４０で、スクロール位置制御部１４０に記憶されているスクロール行数を０に更新する。
【００２１】
一方、ステップＳ３１０における判断結果がスクロール移動であった場合は、操作部１２０はスクロール位置制御部１４０にスクロール移動を指示する。次にステップＳ３５０でスクロール位置制御部１４０は、カーソル位置制御部１３０に記憶されている現在選択中の番組セルの番組情報を番組情報記憶部１００から取り出し、記憶しているスクロール行数から前記操作部１２０から受けたスクロール移動指示の方向にスクロールさせることが可能か否かを判定する。ステップＳ３５０における判定結果がスクロール可能であった場合は、ステップＳ３６０でスクロール位置制御部１４０は、スクロール行数を更新して記憶する。
【００２２】
図４に本発明の電子番組ガイド表示装置によって表示される電子番組ガイドの一例を示す。図４に示す電子番組表示画面では、縦軸方向に時刻が表示され、横軸方向に放送チャンネルが表示されている。
【００２３】
このように本発明の電子番組ガイド表示装置によれば、番組セル内に収まりきらない各番組の番組情報を、電子番組ガイド表示画面上でスクロールさせることが可能になる。
【００２４】
なお、上記実施例では現在選択中でない番組セルにおける番組情報を必ず先頭から表示するようにしているが、各番組セル毎にスクロール行数を記憶しておき、全番組セルにおいて前記各番組セル毎に記憶しているスクロール行数を加味した表示を行なってもよい。また、番組情報が番組セル内に収まりきらない場合に、番組セルにスクロールバーを付加するとしているが、必ずしもスクロールバーでなければならないものではなく、スクロールバーに代わるユーザーにスクロール表示が可能であることを知らせる手段を用いてもよいし、また、何も付加しなくてもよい。
【産業上の利用可能性】
【００２５】
本発名の電子番組ガイド表示装置は、番組を選択する電子番組ガイドの使い勝手を向上させるものであり、テレビジョン受像機や録画機器などを始めとする電子番組ガイド表示機能を有するシステムの電子番組ガイド表示装置として有用である。
【図面の簡単な説明】
【００２６】
【図１】本発明の実施形態１における電子番組ガイド表示装置の構成を示すブロック図
【図２】本発明の実施形態１における電子番組ガイド表示装置の電子番組ガイド表示に関する動作を示すフローチャート
【図３】本発明の実施形態１における電子番組ガイド表示装置のカーソル及びスクロール移動の動作を示すフローチャート
【図４】本発明の実施形態１における電子番組ガイド表示装置によって表示される電子番組ガイドの一例を示す図
【符号の説明】
【００２７】
１００    番組情報記憶部
１１０    電子番組ガイド構成決定部
１２０    操作部
１３０    カーソル位置制御部
１４０    スクロール位置制御部
１５０    番組セル作成部
１６０    表示モニタ
【図１】
2006254018.tif 000003
【図２】
2006254018.tif 000004
【図３】
2006254018.tif 000005
【図４】
2006254018.tif 000006